(57)【要約】【課題】膜を用いて懸濁粒子を除去する方法では、逆洗効率がわるいという課題があった。【解決手段】浴槽水２を循環する循環ポンプ４と、浴槽水中の懸濁物質を除去するフィルター５を備えたろ過手段６と、浴槽水浄化時と洗浄時でろ過手段に通水する浴槽水の流出入方向を切換える流路切換弁とを備えた構成とし、フィルター表面をエマルジョン組成物で撥水処理することで、汚れの付着を防止すると共に、汚れの剥離効果を高め逆洗効率を高めることが出来る。また、エマルジョン組成物で撥水することで、耐久性の高い撥水皮膜を得ることも出来る。【選択図】図１
2005169229.tif 000002
【特許請求の範囲】
【請求項１】
浴槽水を循環する循環ポンプと、浴槽水中の懸濁物質を除去するフィルターを備えたろ過手段と、浴槽水浄化時とフィルター洗浄時で前記ろ過手段に通水する浴槽水の流出入方向を切換える流路切換弁とを備え、前記フィルター表面にエマルジョン組成物を塗布形成した撥水層を形成した浴槽水浄化装置。
【請求項２】
撥水層は、カルボン酸を有する酸味料に、一般式Ｒ１−Ｓｉ（ＯＲ２）ａＸｂ（但し、式中Ｒ１はアミノ基含有基、Ｒ２は炭素数１〜４のアルキル基、Ｘは炭素数１〜４のアルキル基、ａおよびｂはそれぞれ１≦ａ≦３、ａ＋ｂ＝３の関係を満たす数である）で表されるアミノ基含有シランを反応させて得られるカルボン酸・アミノ塩基含有化合物１００重量部、２５℃における粘度が２０〜５００００ｃｐであるアルキル変性シリコーンオイルの乳化物１０００〜６０００重量部及び水１０００〜３００００重量部を含有するエマルジョン組成物である請求項１記載の浴槽水浄化装置。
【請求項３】
撥水層は、エマルジョン組成物に有機フッ素化合物の群より選ばれる少なくとも一種の混合物を添加した被膜形成成分による被膜が、表面に形成されることを特徴とする請求項１または２記載の浴槽水浄化装置。
【請求項４】
撥水層は、エマルジョン組成物にパーフロロアルキルシラン化合物の群より選ばれる少なくとも一種の混合物を添加した被膜形成成分による被膜が、表面に形成されることを特徴とする請求項１または２記載の浴槽水浄化装置。
【請求項５】
フィルター洗浄時は、フィルター表面に堆積した懸濁物質を旋回流により剥離する表面洗浄をした後に、ろ過手段に通水する水の流出入方向を切換えフィルター内部を逆洗浄する請求項１〜４のいずれか１項記載の浴槽水浄化装置。
【請求項６】
ろ過手段の下流側に気泡混入部を設け、ろ過手段に通水する水の流出入方向を切換えフィルター内部を逆洗浄するフィルター洗浄時には、前記気泡混入部により混入した気泡によりフィルター内部を逆洗浄する請求項１〜５のいずれか１項記載の浴槽水浄化装置。
【請求項７】
気泡混入部はエジェクタで構成し、水の流れにより空気を混入する請求項６記載の浴槽水浄化装置。
【請求項８】
ろ過手段に設けたフィルターは開孔径を２０〜４０μｍとした請求項１〜７のいずれか１項記載の浴槽水浄化装置。
【請求項９】
フィルターは金属繊維の織物もしくはフエルト状に積層し燒結した不職布とする請求項１〜８のいずれか１項記載の浴槽水洗浄装置。
【発明の詳細な説明】
【技術分野】
【０００１】
本発明は浴槽水を簡易的に浄化する簡易浄化装置に関するものである。
【背景技術】
【０００２】
浴槽水の汚れとなる懸濁粒子には、髪の毛や埃などの粗大粒子、皮膚から剥離した角質層などの粒子（粒子径２０μｍ〜１００μｍ）、細菌などの微粒子（粒子径１μｍ以下）があり、浴槽水を入れ替えることなく常に入浴できる浴槽水を提供するものとして、浴槽水を浄化殺菌する装置が知られている。また、浴槽水の入れ替えを前提とし、浴槽水中の髪の毛や埃などの粗大粒子、皮膚から剥離した角質層などの粒子を除去する簡易浄化としては、浴槽水を循環ポンプにて循環し、浄化部で浄化した後浴槽に戻す循環式浴槽水浄化装置が知られている。浄化部としては、粒状ろ材を用いて浴槽水中の懸濁粒子を除去する方法（例えば特許文献１参照）や、中空糸膜を用いて懸濁粒子を除去する方法、ろ布もしくは多孔質フィルタ等をプリーツ状ないしは円筒状、平板状に形成し懸濁粒子を除去するものであった（例えば特許文献２参照）。
【特許文献１】特開平１１−２６７４１４号公報
【特許文献２】特開平１１−９９１４号公報
【発明の開示】
【発明が解決しようとする課題】
【０００３】
しかしながら、従来の粒状ろ材を用いた浴槽水浄化装置で粒子径２０μｍの懸濁粒子をろ過するためには、粒子径の小さな粒状ろ材を用い、ろ材充填高さを高くする必要があるためろ過層の圧力損失が大きくなるとともに浄化部のサイズが大きくなるという課題があった。また、粒状ろ材を用いた場合、洗浄時に粒状ろ材が漏れ出る可能性があるという課題があった。
【０００４】
中空糸膜を用いる方法は、１μｍ以下の懸濁微粒子を除去することができるが、洗浄が困難であり、逆洗浄効率が悪いという課題があった。また、ろ布もしくは多孔質フィルタ−等をプリーツ状、平膜状ないしは円筒状に形成し懸濁粒子を除去するものについては、中空糸膜フィルターと同様に逆洗効率が悪いという課題があるとともに、高強度の多孔質フィルターは価格が高くなるという課題があった。
【課題を解決するための手段】
【０００５】
前記従来の課題を解決するために、本発明は、浴槽水を循環する循環ポンプと、浴槽水中の懸濁物質を除去するフィルターを備えたろ過手段と、浴槽水浄化時とフィルター洗浄時でろ過手段に通水する浴槽水の流出入方向を切換える流路切換弁とを備えた構成とし、フィルター表面をエマルジョン組成物で撥水処理することで、汚れの付着を防止すると共に、汚れの剥離効果を高め逆洗効率を高めることが出来る。また、エマルジョン組成物で撥水することで、耐久性の高い撥水皮膜を得ることも出来る。
【発明の効果】
【０００６】
本発明の浴槽水浄化装置は、ろ過手段に備えたフィルター表面を撥水処理することで、汚れの付着を防止すると共に、汚れの剥離効果を高め逆洗効率を高めることが出来る。
【発明を実施するための最良の形態】
【０００７】
第１の発明は、浴槽水を循環する循環ポンプと、浴槽水中の懸濁物質を除去するフィルターを備えたろ過手段と、浴槽水浄化時とフィルター洗浄時でろ過手段に通水する浴槽水の流出入方向を切換える流路切換弁とを備え、ろ過手段に備えたフィルター表面を撥水処理することで、汚れの付着を防止すると共に、汚れの剥離効果を高め逆洗効率を高めることが出来る。また、撥水層をエマルジョン組成物を塗布形成することで、塗布後、短時間の低温加熱下または室温下で、フィルター上に防汚性に優れた被膜を形成し、防汚性能の高い撥水層を得ることができる。
【０００８】
第２の発明は、撥水層のエマルジョン組成物として、カルボン酸を有する酸味料に、一般式Ｒ１−Ｓｉ（ＯＲ２）ａＸｂ（式中、Ｒ１はアミノ基含有基、Ｒ２は炭素数１〜４のアルキル基、Ｘは炭素数１〜４のアルキル基、ａおよびｂはそれぞれ１≦ａ≦３、ａ＋ｂ＝３の関係を満たす数である）で表されるアミノ基含有シランを反応させて得られるカルボン酸・アミノ塩基含有化合物１００重量部、２５℃における年度が２０〜５００００ｃｐであるアルキル変性シリコーンオイルの乳化物１０００〜６０００重量部及び水１０００〜３００００重量部を含有することを特徴とするもので、塗布した後、短時間の低温加熱下または室温下で、基材上に防汚性に優れた被膜を形成することができる。
【０００９】
第３の発明は、撥水層のエマルジョン組成物に、有機フッ素化合物の群より選ばれる少なくとも一種の混合物を添加した被膜形成成分による被膜が表面に形成されることにより、有機フッ素化合物がフィルター上を強力に被覆し、良好な撥水特性を発現する。
【００１０】
第４の発明は、撥水層のエマルジョン組成物に、パーフロロアルキルシラン化合物の群より選ばれる少なくとも一種の混合物を添加した被膜形成成分による被膜が、表面に形成されることにより、パーフロロアルキルシラン化合物がフィルター基材上の活性基と化学的に強力に結合し撥水効果を長期間持続させることが出来る。
【００１１】
第５の発明は、フィルター洗浄時に、フィルター表面に堆積した懸濁物質を旋回流により剥離する表面洗浄をした後に、ろ過手段に通水する水の流出入方向を切換えフィルター内部を逆洗浄する構成とすることで、フィルターの逆洗効率をさらに高めることが出来る。
【００１２】
第６の発明は、ろ過手段の下流側に気泡混入部を設け、フィルター洗浄時には気泡混入部により混入した気泡によりフィルター内部を逆洗浄することで、フィルターの逆洗効率をさらに高めることが出来る。
【００１３】
第７の発明は、特に第７の発明の気泡混入部をエジェクタで構成することで、水の流れにより空気を混入することができ、混入した気泡によりフィルター内部を逆洗浄することで、フィルターの逆洗効率をさらに高めることが出来る。
【００１４】
第８の発明は、ろ過手段に設けたフィルターの開孔径を２０〜３０μｍとすることで、皮膚から剥離した角質層などの粒子（粒子径２０μｍ〜１００μｍ）を効率よく除去することが出来る。
【００１５】
第９の発明は、フィルターは金属繊維の織物もしくはフエルト状に積層し燒結した不職布とすることで、耐久性の良いフィルターを得ることが出来る。
【００１６】
以下、本発明の実施の形態について、図面を参照しながら説明する。なお、この実施の形態によって本発明が限定されるものではない。
【００１７】
なお、以下の実施例における符号（Ａ）、（Ｂ）及び（Ｃ）の内容は次の通りである。
【００１８】
撥水層が（Ａ）カルボン酸を有する酸味料に、一般式Ｒ１−Ｓｉ（ＯＲ２）ａＸｂ（式中、Ｒ１はアミノ基含有基、Ｒ２は炭素数１〜４のアルキル基、Ｘは炭素数１〜４のアルキル基、ａおよびｂはそれぞれ１≦ａ≦３、ａ＋ｂ＝３の関係を満たす数である）で表されるアミノ基含有シランを反応させて得られるカルボン酸・アミノ塩基含有化合物１００重量部、（Ｂ）２５℃における粘度が２０〜５００００ｃｐであるアルキル変性シリコーンオイルの乳化物１０００〜６０００重量部及び（Ｃ）水１０００〜３００００重量部を含有するエマルジョン組成物である。
【００１９】
（実施の形態１）
図１は本発明の第１の実施の形態における浴槽水浄化装置の構成図である。図１において、浴槽１の浴槽水２を循環させる循環流路３および循環ポンプ４は、内部にフィルター５を設けた浄化手段６と、浄化手段６の上流および下流に設けた第１の切換弁７および第２の切換弁８と接続されている。第１の切換弁７は排水流路９と接続され、第２の切換弁８は給湯熱源１０と配管１１で接続されている。循環流路３はアダプタ１２で浴槽１と接続され、アダプタ１２は吐出部１３および吸入部１４を有している。
【００２０】
浄化手段６は、内部に開孔径２７μのステンレス織フィルター１５を補強板１６とを焼結成形したフィルター５を有した円筒状缶体を有し、第１の切換弁７と接続した配管１７および第２の切換弁８と接続した配管１８は、円筒状缶体に接続されている。
【００２１】
フィルター５表面には、撥水層が形成されている。撥水層の形成方法としては、攪拌機、加温ジャケット、還流冷却器および滴下ロートを取り付けたフラスコに水：１００g、クエン酸一水和物２１．０g（０．１mol）を溶解させる。なお、カルボン酸を有する酸味料としてクエン酸を用いたが、他にもグルコン酸、コハク酸、乳酸、フマル酸、ＤＬ−リンゴ酸などが例示され、これらの中でも、安定した被膜を形成すること、合成のし易さからクエン酸、ＤＬ−リンゴ酸が好ましい。このときpH試験紙により酸性サイドであることを確認する。そこへ滴下ロートよりγ−（Ｎ−（β−アミノエチル）アミノ）アミノプロピルメチルジメトキシシラン；２３．４g（０．１mol）を添加し、液温５０〜６０℃にて１時間攪拌を行った。なお、本実施例では、γ−（Ｎ−（β−アミノエチル）アミノ）アミノプロピルメチルジメトキシシランを用いたが、他にも一般式Ｒ１−Ｓｉ（ＯＲ２）ａＸｂで表されるアミノ基含有シランを用いることができる。Ｒ１はアミノ基含有基で、（化１）で示される物が例示され、式中Ｒ６、Ｒ７は炭素数１〜６の２価の炭化水素基、Ｒ８は水素原子または炭素数１〜６の１価炭化水素基、ｒは０〜３の整数を示す。
【００２２】
【化１】
2005169229.tif 000003
具体例としてアミノ基含有基として、アミノメチル基、β−アミノエチル基、γ−アミノプロピル基、δ−アミノブチル基、Ｎ−（β−アミノエチル）アミノメチル基、γ−（Ｎ−（β−アミノエチル）アミノ）アミノプロピル基などを用いても同様の効果が得られる。その後３０℃まで冷却を行い、水溶液のpHがニュートラルであることを確認し、カルボン酸・アミン塩基含有化合物を得た。
【００２３】
使用されるアルキル変性シリコーンオイルの２５℃における粘度は２０〜５００００ｃｐが好ましく、特に好ましくは１００〜５００ｃｐである。（Ｂ）成分におけるアルキル変性シリコーンオイルの粘度が２０ｃｐ以下であると揮発性を有する成分が混在し、被膜中に取り込まれる成分が少なくなることと、低い引火点を有する原因となり好ましくない。また、塗布した場合、重力方向への著しい移動を行い、遮蔽性の低下が見られるため好ましくない。また、粘度が５００００ｃｐを越えると、表面にベタツキ、スベリ性を有する問題が発生し好ましくない。
【００２４】
なお、使用されるアルキル変性シリコーンオイルは、ポリジメチルハイドロジェンシロキサンまたはポリメチルハイドロジェンジメチルシロキサンコポリマーに二重結合を少なくとも１個有する炭化水素を付加してなるものである。これらはポリメチルハイドロジェンシロキサン、ポリメチルハイドロジェンジメチルシリコーンコポリマーに白金触媒を用いてα−オレフィンを付加反応により付加させて合成することができる。
【００２５】
成分（Ｂ）の配合量は、（Ａ）成分１００重量部に対し、１０００〜６０００重量部が好ましく、特に好ましくは５００〜２０００重量部である。１０００重量部未満であると、被膜の耐久性に不具合を生じ好ましくなく、６０００重量部を越えると被膜形成成分との相溶性に不具合を生じ被膜を曇らせ、クリアな表面を形成させないため好ましくない。
【００２６】
成分（Ｃ）の水は成分（Ａ）のカルボン酸・アミノ塩基含有化合物１００重量部に対して１０００〜３００００重量部使用される。１０００重量部未満であるとベタツキなどの特性に不具合を生じ、３００００重量部を越えると、被膜形成成分含有率が少なく、撥水性能が部分的に劣るなどばらつきを生じ好ましくない。
【００２７】
また本発明のエマルジョン組成物は、前記した（Ａ）成分、（Ｂ）成分および（Ｃ）成分からなるものであるが、必要に応じて各種の添加剤を添加してもよく、この添加剤の配合量は、本発明の目的を損なわない限り、特に限定されない。この添加剤としては、例えば高級脂肪酸エステルなどの被膜改質剤、紫外線吸収剤、増粘剤、抗酸化剤などが例示される。エマルジョン組成物をフィルター５に塗布する方法としては、スプレーコーティング、刷毛塗り、パフ塗り、浸漬法など、通常行われている手法を用いることができる。塗布後、２５℃の環境下で４８時間乾燥した。
【００２８】
なお、本発明のエマルジョン組成物は硬化に際して特に加熱は必要ではなく、塗布後、室温で０．５〜４８時間程度放置すれば、表面粘着性の無い被膜が容易に得られるが、必要に応じて硬化時間の短縮などのために加熱しても差し支えない。
【００２９】
上記構成により、浄化運転時には、吸入部１４および循環流路３、第１の切換弁７を介して浴槽水２は循環ポンプ４で循環され、配管１７より浄化手段６に供給される。浄化手段６に供給された浴槽水２は、フィルター５を介して、浴槽水２の懸濁粒子はフィルター５上に捕捉され、懸濁粒子が除去され浄化された水が、配管１７および第２の切換弁８を介して吐出部１３より浴槽１に循環される。
【００３０】
フィルター５の洗浄時には、第１の切換弁７および第２の切換弁８を切換えることで、浄化手段６に通水する水の流れを逆転させ、フィルターを洗浄する。給湯熱源１０からの洗浄水は配管１１および第２の切換弁８を介して、配管１８により浄化手段５に供給される。水流により、フィルター５に捕捉された懸濁粒子は除去され、洗浄水は第１の切換弁７および排水流路９を介して排水される。フィルター５表面に撥水層を形成することで、汚れの付着を防止することが出来、洗浄時の剥離効果を高めることが出来、逆洗効率を向上させることが出来る。
【００３１】
特にエマルジョン組成物を塗布形成することで、塗布後、短時間の低温加熱下または室温下で、フィルター上に防汚性に優れた被膜を形成し、防汚性能の高い撥水層を得ることができる。
【００３２】
また、フィルター５の開孔径は入浴後の浴槽水中の懸濁物質粒子径に関係し、２０μ以上の懸濁粒子を除去することで、入浴後の浴槽水は人がきれいと感じるレベル（濁度として０.８）に達することが実験的に確認されている。フィルター５の開孔径を２０μ以下にすることは、不必要にフィルターの目詰まりを早めることになるとともに、フィルターの圧力損失を高め、洗浄効率を悪くすることになる。また、フィルター５の開孔径が４０μ以上であれば、浴槽水中の懸濁粒子を完全に除去することが出来ず、入浴後の浴槽水を人がきれいと感じるレベル（濁度として０.８）にまで浄化できないことも実験的に確認されている。ろ過手段６に設けるフィルター５の開孔径は２０〜４０μｍとすることで、皮膚から剥離した角質層などの粒子（粒子径２０μｍ〜１００μｍ）を効率よく除去することが出来る。
【００３３】
また、フィルターは金属繊維の織物もしくはフエルト状に積層し燒結した不職布とすることで、耐久性の良いフィルターを得ることが出来る。
【００３４】
（実施の形態２）
次に、本発明実施の形態２の撥水層形成方法を示す。攪拌機、加温ジャケット、還流冷却器および滴下ロートを取り付けたフラスコに水：１００g、クエン酸一水和物２１．０g（０．１mol）を溶解させる。このときpH試験紙により酸性サイドであることを確認する。そこへ滴下ロートよりγ−（Ｎ−（β−アミノエチル）アミノ）アミノプロピルトリメトキシシラン；２５．９g（０．１mol）を添加し、液温５０〜６０℃にて１時間攪拌を行った。その後３０℃まで冷却を行い、水溶液のpHがニュートラルであることを確認し、カルボン酸・アミン塩基含有化合物を得た。
【００３５】
次に調整例を示す。攪拌機、加温ジャケット、還流冷却器および滴下ロートを取り付けたフラスコに、粘度１０００ｃｐのアルキル変性シリコーンオイル（２）９２g、ＮＩＫＫＯＬ ＯＰ−５（日本油脂製乳化剤）；３．３g、ＮＩＫＫＯＬ１８ＴＸ（日本油脂製乳化剤）；３．３g、ボーキニンＰ；０．１g、ボーキニンＭ；０．２gを仕込み５０〜５５℃で攪拌混合を行う。そこへ水；２０gを添加した。上記混合物をミル圧；４０ミル圧にてミル反転を行い、反転物をジメチルシリコーンオイルが３０％となるように水に分散させ乳化物を得た。
【００３６】
次に比較調整例を示す。攪拌機、加温ジャケット、還流冷却器および滴下ロートを取り付けたフラスコに、オクタメチルシクロテトラシロキサン４０２g、ヘキサメチルジシロキサン；２．６gドデシルベンゼンスルホン酸；７．５gを仕込み攪拌混合を行う。そこへ水；９０７gを添加し、粗乳化を行った。粗乳化物を加圧ホモジナイザー（１次圧５０kg/cm2：２次圧４００kg/cm2）にて乳化を行った。続いて乳化物を８０〜９０℃にて乳化重合を行い、ＣＦ3（ＣＦ2）7（ＣＨ2）2Ｓｉ（ＯＣＨ3）3；２０gを混合し、ジメチルシリコーンオイル粘度３００００ｃｐ、成分濃度３２％の乳化物を得た。試験体の作成方法は、市販の洋式便器を用意し、エタノールで脱脂洗浄後、これに各コーティング剤組成物を塗布量が１５gとなるようにスプレーコーティングした。
【００３７】
なお、本実施例で撥水性能を高めるために混合したＣＦ3（ＣＦ2）7（ＣＨ2）2Ｓｉ（ＯＣＨ3）3以外にも、有機フッ素化合物、パーフロロアルキルシラン化合物の群より選ばれる少なくとも一種を用いても同様の効果が得られる。
【００３８】
具体的な例として、有機フッ素化合物としては、ポリテトラフルオロエチレン、テトラフルオロエチレン・パーフルオロアルキルビニルエーテル共重合体、テトラフルオロエチレン・ヘキサフルオロプロピレン共重合体、テトラフルオロエチレン・エチレン共重合体、ポリクロロトリフルオロエチレン、ポリフッ化ビニリデン、テトラフルオロエチレン・ヘキサフルオロプロピレン・パーフルオロアルキルビニルフルオライド、フッ化ビニリデン・テトラフルオロエチレン共重合体、ポリフッ化ビニルエーテル、フッ化ビニルエーテル・テトラフルオロエチレン共重合体、フッ化ビニリデン・テトラフルオロエチレン・ヘキサフルオロプロピレン共重合体、フッ化ビニリデン・ヘキサフルオロプロピレン共重合体や、パーフルオロポリエーテル、パーフルオロアルキルポリエーテル、三フッ化エチレン重合体などのフッ素オイルや、フッ素系界面活性剤などが挙げられるが、これらに限定するものではない。
【００３９】
パーフロロアルキルシラン化合物としては、前記アルキルシラン化合物のアルキル基のいくつかがフッ化炭素基に置換されたものであり、例えば、ＣＦ3（ＣＨ2）2Ｓｉ（ＯＣＨ3）3、ＣＦ3（ＣＦ2）5（ＣＨ2）2Ｓｉ（ＯＣＨ3）3、ＣＦ3（ＣＦ2）7（ＣＨ2）2Ｓｉ（ＯＣＨ3）3、ＣＦ3（ＣＦ2）7（ＣＨ2）2ＳｉＣＨ3（ＯＣＨ3）2、ＣＦ3（ＣＦ2）3（ＣＨ2）2Ｓｉ（ＯＣＨ3）3、ＣＦ3（ＣＦ2）7（ＣＨ2）2ＳｉＣｌ3などの炭素数が１から２０のシラン化合物が挙げられるが、これらに限定するものではない。
【００４０】
（実施の形態３）
図２は本発明の第３の実施の形態における浴槽水浄化装置の構成図である。図２において実施の形態１と同一記号のものは、同一の構成を有し同一動作を行うものであり、説明は省略する。
【００４１】
浄化手段７は、内部に開孔径２７μのステンレス織フィルター１５を補強板１６と焼結成形したフィルター５を有した円筒状缶体を有し、フィルター５の上流側に第１の切換弁７と接続した配管１７および排水弁１９と接続した洗浄配管２０、フィルター５の下流側に第２の切換弁８と接続した配管１８が接続されている。排水弁１９は排水流路９と接続されており、フィルター５の表面を洗浄した洗浄水は、排水流路９から排水される。また、配管１８には気泡混入部２１が接続されている。気泡混入部２１はエジェクタで構成されており、水の流れにより空気を混入することができる。
【００４２】
上記構成により、浄化運転時には、排水弁１９は閉じられており、実施の形態１と同様の動作により、浴槽水中の懸濁物質はフィルター５の表面に捕捉される。
【００４３】
フィルター５の洗浄時には、まず排水弁１９を開放し、給湯熱源１０からの洗浄水を、配管１７より浄化手段６に供給する。洗浄水はフィルター５の表面を洗浄し、排水弁１９を介して排水流路９から排水される。つぎに、第１の切換弁７および第２の切換弁８を切換えることで、浄化手段６に通水する水の流れを逆転させ、配管１１および第２の切換弁８を介し気泡混入部２１により気泡を混入した洗浄水が、配管１８により浄化手段５に供給される。水流および気泡によりフィルター５に捕捉された懸濁粒子は除去され、洗浄水は第１の切換弁７および排水流路９を介して排水される。
【００４４】
このように、フィルター表面に堆積した懸濁物質を剥離する表面洗浄をした後に、ろ過手段に通水する水の流出入方向を切換えフィルター内部を逆洗浄する構成とすることで、フィルターの逆洗効率を高めることが出来る。
【００４５】
また、ろ過手段の下流側に気泡混入部を設け、洗浄時には気泡混入部により混入した気泡によりフィルター内部を逆洗浄することで、フィルターの逆洗効率を高めることが出来る。
【産業上の利用可能性】
【００４６】
以上のように、本発明にかかる浴槽水浄化装置は小型で低価格な浄化が可能となるので、鑑賞魚水槽の浄化、雨水の浄化等の用途にも適用が可能である。
【図面の簡単な説明】
【００４７】
【図１】本発明の実施の形態１における浴槽水浄化装置の構成図
【図２】本発明の実施の形態３における浴槽水浄化装置の構成図
【符号の説明】
【００４８】
１  浴槽
２  浴槽水
３  循環流路
４  循環ポンプ
５  フィルター
６  浄化手段６
７  第１の切換弁
８  第２の切換弁
９  排水流路
１０  給湯熱源
１２  アダプタ
１３  吐出部
１４  吸入部
１５  ステンレス織フィルター
１６  補強板
２１  気泡混入部
【図１】
2005169229.tif 000004
【図２】
2005169229.tif 000005